(57)【要約】  メインユニットおよび送信器の両方に給電するバッテリを設けることによりバッテリによる装置全体に対する電源容量を大きくするとともに、バッテリの交換が容易な侵入検知装置を提供する。検知素子(30)を含むメインユニット(1)と、メインユニット(1)に着脱自在に装着されてメインユニット(1)に給電するバッテリ(Ba)と、メインユニット(1)に取り付けられてメインユニット(1)の出力信号を無線送信する送信器(11)に給電する給電線(18)とを備えている。
2010084558.tif 000002
【特許請求の範囲】
【請求項１】
検知素子を含むメインユニットと、前記メインユニットに着脱自在に装着されて前記メインユニットに給電するバッテリと、前記メインユニットに取り付けられて前記メインユニットの出力信号を無線送信する送信器に給電する給電線と、
を備えた侵入検知装置。
【請求項２】
請求項１において、さらに、前記給電線とともに前記送信器のバッテリ取付部に送信器のバッテリの代わりに取り付けられる電気絶縁性のダミーバッテリを備えた侵入検知装置。
【請求項３】
請求項２において、前記ダミーバッテリは、前記送信器のバッテリよりも短い長さに設定されている侵入検知装置。
【請求項４】
請求項２において、前記ダミーバッテリは、長さ方向に伸縮自在である侵入検知装置。
【請求項５】
請求項２において、前記給電線と前記ダミーバッテリとが接合されて一体化されている侵入検知装置。
【請求項６】
請求項１において、前記給電線に、前記送信器のバッテリに接続される接片が取り付けられている侵入検知装置。
【請求項７】
請求項１において、さらに、前記メインユニットを着脱自在に保持するベースと、このベースに着脱自在に取り付けられて前記メインユニットの前面を覆うレンズ付きカバーとを備えた侵入検知装置。
【請求項８】
請求項１において、前記バッテリを保持するバッテリボックスを備えた侵入検知装置。
【請求項９】
請求項８において、前記バッテリボックスが前記メインユニットの背面に着脱自在に装着されている侵入検知装置。
【請求項１０】
請求項９において、前記バッテリボックスが、第１の取付位置では前記送信器に並置され、第２の取付位置では前記メインユニットの背面から離れて配置され前記背面との間に前記送信器の取付空間を形成している侵入検知装置。
【請求項１１】
請求項８において、前記メインユニットに係合部が設けられ、前記バッテリボックスに前記係合部に係合される被係合部が設けられている侵入検知装置。
【請求項１２】
請求項８において、前記バッテリボックスが直径または長さが異なる複数種類のバッテリを保持可能である侵入検知装置。
【請求項１３】
請求項１２において、前記バッテリボックスは前記バッテリに径方向にばね力を付加するばね体と、前記ばね力に抗して前記バッテリを径方向に保持する保持片とを有する侵入検知装置。
【請求項１４】
請求項１２において、前記バッテリボックスに、前記バッテリの一方の電極に接触する接点を有し、前記バッテリの長さ方向の複数の異なる位置に選択的に取り付けられて長さの異なる前記バッテリを保持する接点保持部材が設けられている侵入検知装置。
【請求項１５】
請求項１４において、前記接点保持部材は、前記接点を有する接点部材と、この接点部材を長さ方向の複数の異なる位置で選択的に前記バッテリボックスの本体に係合して固定する固定部材とを有する侵入検知装置。
【請求項１６】
請求項１５において、前記固定部材は、コ字形状の板材からなり、前記接点保持部材に取り付けられた胴部と、この胴部の両端から胴部と直交する方向に延びた一対の脚部とを有し、前記脚部の先端にフック部が形成されており、前記胴部が前記ボックス本体の表面側に位置し、前記フック部が前記ボックス本体の裏面の角部に係止されている侵入検知装置。
【発明の詳細な説明】
【関連出願】
【０００１】
本出願は、２００９年１月２２日出願の特願２００９−０１１５９９の優先権を主張するものであり、その全体を参照により本願の一部をなすものとして引用する。
【技術分野】
【０００２】
本発明は、予め設定された警戒エリア内に不法に侵入した人体などの物体を検知する侵入検知装置に関するものである。
【背景技術】
【０００３】
この種の一般的な侵入検知装置として、検知素子を含むメインユニットが受動型赤外線検知方式（ＰＩＲ）や能動型赤外線検知方式（ＡＩＲ）に構成されたものが知られている。また、近年では、侵入検知信号を送信器から管理装置の受信器に無線送信する構成とすることにより、管理装置との間の配線を不要とした侵入検知装置も提案されている。この装置では、送信器として市販の汎用のものを用い、その送信器に内蔵された駆動用バッテリからメインユニットに駆動電力を給電する場合がある。その場合、装置全体の電源容量は、使用する送信器に内蔵のバッテリによって決定される。また、送信器においてバッテリの消耗を検知したときには、送信器から受信器にバッテリ消耗検知信号が無線送信され、受信器側でバッテリ消耗の警報を発するようになっている。バッテリに関しては、寸法の異なる異種のバッテリの収納を可能としたバッテリ収納ケースも提案されている（例えば、特許文献１参照）。
【先行技術文献】
【特許文献】
【０００４】
【特許文献１】特開２０００−１４９８９６号公報
【発明の概要】
【発明が解決しようとする課題】
【０００５】
送信器を備えた従来の侵入検知装置では、送信器に内蔵された容量の小さいバッテリをメインユニットの駆動電源にも共用しているから、バッテリの消耗が激しいのに伴って交換頻度が高い。さらに、バッテリの交換に際しては、装置本体を開いて送信器を取り出し、さらに、この送信器からバッテリを取り出す必要があるので、バッテリの交換が煩雑で時間を要し、しかも、前述のとおりバッテリの交換を頻繁に行わなければならない。【０００６】
そこで、送信器駆動用バッテリに加えて、メインユニットへの給電用バッテリを別途設けることにより、各々のバッテリの長寿命化を図ってバッテリの交換頻度を下げるようにすることが考えられる。しかしながら、そのような構成とした場合、送信器側ではこれの駆動用バッテリの消耗を検知して消耗検知信号を出力するだけであるから、メインユニット側のバッテリの消耗は検知されない。【０００７】
本発明は、検知素子を含むメインユニットを保持するユニットホルダに、メインユニットと送信器の両方に給電するバッテリを設けることにより、バッテリによる装置全体に対する電源容量を大きくするとともに、バッテリの交換が容易な侵入検知装置を提供することを目的としている。
【課題を解決するための手段】
【０００８】
上記目的を達成するために、本発明の侵入検知装置は、検知素子を含むメインユニットと、前記メインユニットに着脱自在に装着されて前記メインユニットに給電するバッテリと、前記メインユニットに取り付けられて前記メインユニットの出力信号を無線送信する送信器に給電する給電線とを備えている。【０００９】
この侵入検知装置によれば、メインユニットに装着されたバッテリからメインユニットに給電するとともに給電線を介して送信器にも給電するので、装置全体の電源容量が増大するのに伴ってバッテリの長寿命化を図ることができる。また、バッテリが、送信器内ではなく、メインユニットに着脱自在に装着されているので、交換が容易である。さらに、送信器の電源の消耗を検知することでメインユニットの電源消耗を検知できる。【００１０】
本発明において、さらに、前記給電線とともに前記送信器のバッテリ取付部に送信器のバッテリの代わりに取り付けられる電気絶縁性のダミーバッテリを備えていることが好ましい。この構成によれば、バッテリから送信器に給電するための給電線を、送信器のバッテリ取付部に取り付けるダミーバッテリにより送信器のバッテリ取付部の接点に容易、かつ安定に接続することができる。この場合、例えば、給電線の先端に取り付けられた一対の接片を、ダミーバッテリとバッテリ取付部の接点とで挟み込む第１構造、または、給電線の先端に、ダミーバッテリに両電極端子が装着された端子付ダミー体を接合して、ダミーバッテリと一体化し、この端子付ダミー体をバッテリ取付部の接点に取り付ける第２構造とすることができる。【００１１】
前記第１構造とする場合、そのダミーバッテリは、前記送信器のバッテリよりも短い長さに設定されていることが好ましい。この構成によれば、正負の給電線の先端に取り付けられた接片をダミーバッテリの装着により正・負の電極端子に押し付けて電気的に接続する際に、接片および正・負の電極端子に過剰な押圧力がかかるのを防止できる。【００１２】
前記第１構造とする場合、そのダミーバッテリは、長さ方向に伸縮自在とすることができる。この構成によれば、ダミーバッテリを収縮させた状態でバッテリ取付部に押し込んだのちに、例えば、収縮した弾性体の復元力で伸長させることにより、正負の給電線の先端に取り付けられた接片を正・負の電極端子に圧接させることができるので、ダミーバッテリが安定してバッテリ取付部に取り付けられる。【００１３】
前記給電線と前記ダミーバッテリとを接合して一体化する前記第２構造とする場合、樹脂製のダミーバッテリに電極端子をインサート成形して端子付ダミー体を形成することができる。【００１４】
本発明において、前記給電線に、前記送信器のバッテリに接続される接片が取り付けられた構成とすることもできる。この構成によれば、送信器の通常のバッテリをそのまま使用することができるので、ダミーバッテリが不要になるとともに、通常のバッテリ分だけ電源容量が増大する。【００１５】
本発明において、さらに、前記メインユニットを着脱自在に保持するベースと、このベースに着脱自在に取り付けられて前記メインユニットの前面を覆うレンズ付きカバーとを備えていることが好ましい。この構成によれば、バッテリが消耗したときに、レンズ付きカバーをベースから取り外したのち、ベース内に保持されているメインユニットを取り出して、そのメインユニットに装着されているバッテリを新たなものに交換するだけで済むから、バッテリの交換作業を容易、かつ、迅速に行うことができる。【００１６】
本発明において、前記バッテリを保持するバッテリボックスを備えていることが好ましい。この構成によれば、複数個のバッテリを設ける場合、それらバッテリをバッテリボックスに保持することで所要の接続状態としてユニットホルダに容易に装着することができる。【００１７】
バッテリボックスを備える構成において、前記バッテリボックスが前記メインユニットの背面に着脱自在に装着されていることが好ましい。この構成によれば、バッテリが消耗したときに、バッテリボックスをメインユニットから取り外して、そのバッテリボックス内に保持されているバッテリを新たなものに交換できるので、バッテリの交換作業が一層容易となる。【００１８】
前記バッテリボックスを前記メインユニットの背面に着脱自在に装着する構成において、前記バッテリボックスが、第１の取付位置では前記送信器に並置され、第２の取付位置では前記メインユニットの背面から離れて配置され前記背面との間に前記送信器の取付空間を形成していることが好ましい。この構成によれば、送信器として、市販の複数種類の中から選ばれた任意のものを取り付ける場合に、送信器と共にメインユニットに取り付けるバッテリボックスを、選ばれた送信器の形状の大小に対応して、メインユニットの複数の取付位置のうち、送信器の取り付けの妨げにならない取付位置を選択して取り付けることができる。すなわち、取り付ける送信器が形状の小さいものである場合、バッテリボックスをメインユニットの背面の第１の取付位置に取り付けることで、バッテリボックスおよび送信器を並置する嵩低い配置でメインユニットの背面に取り付けることができる。一方、取り付ける送信器が形状の大きいものである場合、バッテリボックスをメインユニットの第２の取付位置に取り付けることで、このバッテリボックスとメインユニットの背面との間に形状の大きな送信器の取り付けが可能な取付空間を確保できるので、送信器をバッテリボックスと共にメインユニットの背面に一部分が重なる形で取り付けることができる。【００１９】
前記バッテリボックスを備える構成において、前記メインユニットに係合部が設けられ、前記バッテリボックスに前記係合部に係合される被係合部が設けられていることが好ましい。この構成によれば、係合部と被係合部との係脱によってバッテリボックスをメインユニットに対し容易に着脱できるので、バッテリの交換を容易に行える。【００２０】
バッテリボックスを備える構成において、前記バッテリボックスが直径または長さが異なる複数種類のバッテリを保持可能であることが好ましい。この構成によれば、使用するバッテリの直径または長さが異なっても、共通のバッテリボックスを使用できる。【００２１】
前記バッテリボックスが複数種類のバッテリを保持可能な構成において、前記バッテリボックスは前記バッテリに径方向にばね力を付加するばね体と、前記ばね力に抗して前記バッテリを径方向に保持する保持片とを有していることが好ましい。この構成によれば、直径の異なるバッテリを同一のバッテリボックスに装着する場合においても、バッテリを、これの径方向の両面側からばね体と保持片とにより弾力的に挟み付けることで、安定して保持することができる。【００２２】
バッテリボックスを備える構成において、前記バッテリボックスに、前記バッテリの一方の電極に接触する接点を有し、前記バッテリの長さ方向の複数の異なる位置に選択的に取り付けられて長さの異なる前記バッテリを保持する接点保持部材が設けられていることが好ましい。この構成によれば、長さの異なるバッテリを同一のバッテリボックスに装着する場合においても、接点保持部材をバッテリボックスにおけるバッテリの長さに対応する位置に選択的に取り付けることにより、バッテリの一方および他方の両電極をそれぞれバッテリボックスの接点および接点保持部材の接点に安定して電気的に接続することができる。【００２３】
前記接点保持部材は、前記接点を有する接点部材と、この接点部材を長さ方向の複数の異なる位置で選択的に前記バッテリボックスの本体に係合して固定する固定部材とを有していることが好ましい。この構成によれば、接点保持部材の固定部材を、バッテリボックスの本体におけるバッテリの長さに対応する位置に固定すれば、バッテリの一方および他方の両電極をそれぞれ、バッテリボックスの接点および接点部材の接点に安定して電気的に接続することができる。【００２４】
前記接点保持部材が接点部材と固定部材とを有する構成において、前記固定部材は、コ字形状の板材からなり、前記接点保持部材に取り付けられた胴部と、この胴部の両端から胴部と直交する方向に延びた一対の脚部とを有し、前記脚部の先端にフック部が形成されており、前記胴部が前記バッテリボックス本体の表面側に位置し、前記フック部が前記バッテリ本体の裏面の角部に係止されていることが好ましい。この構成によれば、胴部と一対の脚部およびフック部とを有する固定部材を、単一の板材を折り曲げ加工するだけで容易に製造することができる。
【図面の簡単な説明】
【００２５】
この発明は、添付の図面を参考にした以下の好適な実施形態の説明から、より明瞭に理解されるであろう。しかしながら、実施形態および図面は単なる図示および説明のためのものであり、この発明の範囲を定めるために利用されるべきものではない。この発明の範囲は添付の請求の範囲によって定まる。添付図面において、複数の図面における同一の符号は、同一または相当する部分を示す。
【図１】本発明の一実施形態に係る侵入検知装置の電気信号系統を示すブロック図である。
【図２】同上の侵入検知装置の給電系統を示す概略構成図である。
【図３】同上の侵入検知装置の分解斜視図である。
【図４】同上の侵入検知装置の斜視図である。
【図５】同上の侵入検知装置のバッテリボックスを示す分解斜視図である。
【図６】（Ａ），（Ｂ）はそれぞれバッテリを収納した状態のバッテリボックスを示す斜視図および縦断面図である。
【図７】（Ａ）〜（Ｄ）はそれぞれサイズの異なるバッテリを装着した場合のバッテリボックスを示す縦断面図である。
【図８】同上の侵入検知装置の送信器を示す分解斜視図である。
【図９】同上の送信器にダミーバッテリを取り付ける状態を示す縦断面図である。
【図１０】同上の送信器に用いるダミーバッテリのセットを示す斜視図である。
【図１１】同上の送信器に用いるダミーバッテリの変形例を示す縦断面図である。
【図１２】（Ａ），（Ｂ）は同ダミーバッテリの他の変形例を示す縦断面図である。
【図１３】同上の侵入検知装置におけるユニットホルダと送信器とを示す分解斜視図である。
【図１４】（Ａ），（Ｂ）は送信器とバッテリボックスを異なる相対配置で取り付けた場合を示す一部破断した左側面図である。
【図１５】同上の送信器に用いる端子付ダミー体を示し、（Ａ），（Ｂ）は平面図および縦断面図、（Ｃ）は組立工程を示す縦断面図、（Ｄ）は同端子付ダミー体に用いる端子部材を示す斜視図である。
【図１６】他の端子付ダミー体を示す斜視図である。
【発明を実施するための形態】
【００２６】
以下、本発明の好ましい実施形態について図面を参照しながら詳述する。
図１は、本発明の一実施形態に係る侵入検知装置の電気信号系統を示すブロック図であり、同図において、メインユニット１は、検知エリア内に不法に侵入した人体が発する遠赤外線を検知素子で受光してその受光量を示す電気信号が一定レベル以上に変化したときに人体検知信号を出力する受動型赤外線検知方式の人体検知部２と、メインユニット１全体を制御するマイクロコンピュータ９とを有している。マイクロコンピュータ９は、人体検知部２が不法侵入した人体を検知したときに、出力端子１０から信号線７２を介して送信器１１に対し人体検知信号を出力する。送信器１１は、メインユニット１から人体検知信号が入力したときにアラーム信号を無線送信する送信回路１３と、後述のバッテリの消耗を検知して送信回路１３に消耗検知信号を出力するローバッテリ検出部１４とを有している。送信器１１から無線送信されたアラーム信号または消耗検知信号は、例えば屋内に設置されている受信器１２で受信される。
【００２７】
図２は、前記侵入検知装置の給電系統を示す概略構成図である。この侵入検知装置では、メインユニット１および送信器１１に共に給電する複数個のバッテリＢａがバッテリボックス１７内に保持されている。バッテリボックス１７の正極側および負極側の電極端子１９，２０は、電源線１５，１５を介してメインユニット１の接続端末３の正負側の電源入力端子２１，２２に接続されており、接続端末３の正負側の電源出力端子２３，２４が給電線１８，１８を介して送信器１１の正負の電源端子に接続される。前記電源線１５に代えて接続用端子を使用し、この接続用端子を介してバッテリボックス１７を正側および負側の電源入力端子２１，２２に接続することもできる。給電線１８，１８の先端の接続部は電気絶縁性のダミーバッテリ２８によって送信器１１の電源端子に接続されるが、これについての詳細は後述する。
【００２８】
前記侵入検知装置の分解斜視図である図３において、メインユニット１（図１）はユニット本体１Ｕを樹脂製のユニットホルダ２９の内部に保持したものである。ユニット本体１Ｕは、後述するプリント配線基板の上下箇所に、人体検知部２における検知素子である２つのＰＩＲセンサ３０，３０を含む電子部品を搭載しており、ＰＩＲセンサ３０，３０がユニットホルダ２９の前面側、すなわちメインユニット１の前面側（図の手前側）に露出している。送信器１１は、各２本の給電線１８，１８および信号線７２，７２がユニットホルダ２９の接続端末３の所要の端子に接続された状態で、マジックテープ（登録商標）のような着脱テープ３３によりユニットホルダ２９の背面、すなわちメインユニット１の背面に装着される。このユニットホルダ２９の背面にはバッテリボックス１７も装着されるが、これについての詳細は後述する。
【００２９】
前記ユニットホルダ２９は、背面にバッテリボックス１７および送信器１１が装着された状態で、ベース３４の内部に嵌め込まれて着脱自在に保持される。すなわち、ユニットホルダ２９の上面のガイド突条２５をベース３４のガイド凹所３６に差し込んで互いを位置決めした状態で、ユニットホルダ２９をベース３４内に嵌め込むことにより、ベース３４の両側内面に設けられた爪からなる一対の係止部３７が、ユニットホルダ２９の両側面の上下方向中央部にそれぞれ形成された突条からなる一対の被係止部２６に係合するとともに、ユニットホルダ２９の両側面における上端および下端のそれぞれ近傍箇所に設けられた計４つの段部２７にベースの４つの支持突片３８の各端面３８ａが当接する。これにより、ユニットホルダ２９がベース３４の内部に着脱自在に保持される。ユニットホルダ２９をベース３４から強い力で引き出せば、係止部３７と被係止部２６との係合が外れて、ユニットホルダ２９をベース３４から引き出すことができる。
【００３０】
ユニットホルダ２９が内部に保持されたベース３４には、前面に例えばフレネルレンズ３９が固定されたレンズ付きカバー４０が嵌め合わされて、１本の固定ねじ４１の締結により固定される。すなわち、レンズ付きカバー４０の両側面には後方へ延びる嵌合突片４５が形成されており、この両側の嵌合突片４５をベース３４の両側の嵌合溝４２に挿入するとともに、レンズ付きカバー４０の上端背部の係合片４６をベース３４の上端部の係止突条４７の後面に係合させ（図１４（Ａ）参照）、この状態で、レンズ付きカバー４０の下端部背面に設けられたボス部５６をベース３４の下端に設けられた嵌合凹所５７に嵌め込む。これにより、レンズ付きカバーは、ベース３４に対し左右方向および上下方向への移動が規制される。この状態で、１本の固定ねじ４１をボス部５６の挿通孔５６ａを介して嵌合凹所５７のねじ孔５７ａにねじ込むことで、レンズ付きカバー４０がベース３４に固定される。
【００３１】
組立完了状態の侵入検知装置は、図４に示すような形態となり、この侵入検知装置におけるベース３４が固定されたブラケット４が、侵入警戒すべき設置箇所で、柱、壁などの支持部材に取り付けられて支持される。この設置状態の侵入検知装置の図１に示す送信器１１から消耗検知信号が受信器１２に無線送信されたときには、図４の設置状態において図３の固定ねじ４１を外すだけで、レンズ付きカバー４０をベース３４から即座に取り外して、ベース３４からユニットホルダ２９を取り出し、このユニットホルダ２９からバッテリボックス１７を取り外してバッテリ交換を行うことができる。
【００３２】
図５はバッテリボックス１７の分解斜視図であり、このバッテリボックス１７は、バッテリＢａを収納するボックス本体４４と、このボックス本体４４の複数の異なる位置に選択的に着脱自在に取り付けられる接点保持部材４８とからなる。ボックス本体４４は、この実施形態において３個のバッテリＢａを並置して収納できるようになっている。すなわち、ボックス本体４４の内部は、２つのガイド壁４９によって３つのバッテリ収納部６５に区画されている。この３つのバッテリ収納部６５の各々の一端側（図の手前側）にはバッテリＢａを載置するバッテリ支持部５０が形成されており、他端側には端子金具６３が取り付けられているが、この端子金具６３の詳細については後述する。また、ボックス本体４４の両側壁の一端部には側方へ突出する一対の突部５１，５１が形成され、他端部には一対の係止孔５２，５２が形成されている。これら突部５１および係止孔５２がバッテリボックス１７の被係合部を形成している。
【００３３】
ボックス本体４４の両側壁の内面にはそれぞれ相対向する３つのガイド溝５３，５４，５５が形成され、ボックス本体４４の両側壁の外面に２つのガイド凹所５９，６０が形成されている。また、ボックス本体４４における両側壁内面と内底面との間の傾斜面となった個所には、各３つのガイド溝５３，５４，５５の下端近傍の３個所に係止小片６７がそれぞれ形成されており、前記２つのガイド壁４９には、各３つの係止小片６７にほぼ対応する３個所の各位置にそれぞれ係合切欠き７４が形成されている。
【００３４】
一方、接点保持部材４８は、端壁部５の一端部から直交方向に蓋板部６が延びる縦断面Ｌ字状の形状を有し、端壁部５の両側外面に、ボックス本体４４のガイド溝５３，５４，５５のいずれか一つに選択的に嵌まり込むガイドレール５８と、このガイドレール５８の先端面に隣接した段部７５と、この段部７５の一端部から下方に突出した係合突片７６とが形成されている。また、端壁部５の端面には、ボックス本体４４の各バッテリ支持部５０に嵌まり込む湾曲部７と、各ガイド壁４９の３つの係合切欠き７４に選択的に係合する直線状の係合部８とが形成されている。蓋板部６の外面には、金属板材がコ字形状に屈曲されてなる固定部材６１が固定されている。この固定部材６１は、蓋板部６の外面に固定された胴部６６と、この胴部６６の両端から胴部６６と直交する方向に延びた一対の脚部６２とを有している。脚部６２の先端にフック部６２ａが折り曲げにより一体形成されており、接点保持部材４８を、固定部材６１の胴部６６がボックス本体４４の表面側に位置する配置でボックス本体４４に取り付けたときに、フック部６２ａがボックス本体４４の裏面の角部８６に係止される。
【００３５】
図６（Ａ）はボックス本体４４にバッテリＢａを収納し、かつ接点保持部材４８を取り付けた状態を示す。すなわち、３個のバッテリＢａをそれぞれボックス本体４４のバッテリ収納部６５（図５）に挿入したのち、接点保持部材４８の両側のガイドレール５８，５８をボックス本体のガイド溝５３，５３（図５）に挿入し、かつ固定部材６１の脚部６２，６２をガイド凹所５９に嵌め込み、脚部６２，６２の先端のフック部６２ａ，６２ａを、脚部６２が外方へ弾性変形されたことによる復元力により、ガイド凹所５９の端面に連なるボックス本体４４の裏面の角部８６に係止させることによって、接点保持部材４８がボックス本体４４に着脱自在に取り付けられる。
【００３６】
図６（Ｂ）は図６（Ａ）の縦断面図であり、同図において、端子金具６３は、単一の金属板をコ字形状に折り曲げることにより、中央部の負極接点６３ａと、一端側のばね体６３ｂと、他端側の保持片６３ｃとが一体に形成されている。ばね体６３ｂは、バッテリ収納部６５に収納されたバッテリＢａに対し径方向にばね力を付与する。保持片６３ｃは、図５に示すようにバッテリＢａの外形に沿った湾曲形状に形成されて、ばね体６３ｂのばね力に抗してバッテリＢａを径方向に保持する。一方、図６（Ｂ）に示すように、接点保持部材４８の内部には正極接点６４ａを有する接点部材６４が取り付けられている。
【００３７】
接点保持部材４８がボックス本体４４に取り付けられたときには、図５の接点保持部材４８の端壁部５の二つの係合部８がボックス本体４４の係合切欠き７４に嵌まり込む。したがって、接点保持部材４８は、ガイドレール５８とガイド溝５３との係合に加えて係合部８が係合切欠き７４に係合することにより、ボックス本体４４に対して図６（Ｂ）の上下方向への移動が規制される。これにより、接点保持部材４８は、ボックス本体４４への取り付け時に撓んだ正極接点６４ａおよび負極接点６３ａの復元力に抗して正極接点６４ａおよび負極接点６３ａとバッテリＢａ（図６（Ａ））との接続を確実に維持する。さらに、接点保持部材４８は、ガイドレール５８の先端部における図５のバッテリＢａとは反対側の側面５８ａが係合小片６７に接触することにより、図６（Ｂ）の各接点６４ａ，６３ｂの復元力に抗して、一層安定に装着位置に保持される。このとき、図５の段部７５が係止小片６７の端面に当接し、かつ両側の係合突片７６がそれぞれ両側のバッテリ保持部５０の各々の外側の側面に接触することにより、接点保持部材４８がさらに安定して装着位置に保持される。
【００３８】
図５で説明したように、ボックス本体４４の両側壁には、収納されるバッテリＢａの長さ方向の異なる３箇所にガイド溝５３〜５５が形成されており、これらガイド溝５３〜５５のいずれかに選択的に接点保持部材４８のガイドレール５８を差し入れることにより、接点保持部材４８をバッテリ本体４４の異なる位置に選択的に取り付けることができる。こうして、バッテリＢａのサイズが異なるのに対応して、ボックス本体４４におけるバッテリＢａのサイズに対応する位置に接点保持部材４８を取り付けることにより、サイズの異なる種々のバッテリＢａに対し同一のバッテリボックス１７を用いることができる。
【００３９】
図７（Ａ）〜（Ｃ）に、サイズの異なる種々のバッテリＢａ１〜Ｂａ３をバッテリボックス１７の各バッテリ収納部６５に収納した状態を示し、図７（Ｄ）に短いバッテリＢａ３を直列に２つバッテリ収納部６５に収納した形態を示す。図７（Ａ）に示すように、長さおよび径の大きなバッテリＢａ１（例えば、ＣＲ１２３Ａ）をバッテリボックス１７に装着する場合には、接点保持部材４８が、図５のガイドレール５８をボックス本体４４の中央のガイド溝５４に、かつ脚部６２をガイド凹所６０にそれぞれ挿入してボックス本体４４に取り付けられる。このとき、脚部６２はガイド凹所６０に、負極接点６３ａ（図７（Ａ））から離れた一側面６０ａに摺動しながら挿入される。これにより、接点保持部材４８における接点部材６４の正極接点６４ａおよびボックス本体４４の負極接点６３ａが収納バッテリＢａ１の正負の電極に接触して、バッテリＢａ１がメインユニット１に給電できる接続状態となる。このとき、端子金具６３のばね体６３ｂは、径の大きなバッテリＢａ１により押圧されて、先端部がボックス本体４４の逃げ孔４４ａに入り込む。
【００４０】
図７（Ｂ）に示すように、前記バッテリＢａ１よりも長さおよび直径が共に小さいバッテリＢａ２（例えば、ＣＲ２）をバッテリボックス１７に装着する場合には、接点保持部材４８が、図５のガイドレール５８をボックス本体４４の負極接点６３ａ寄りのガイド溝５５に、かつ脚部６２をガイド凹所６０にそれぞれ挿入して取り付けられる。このとき、脚部６２はガイド凹所６０に、負極接点６３ａ（図７（Ｂ））寄りの他側面６０ｂに摺動しながら挿入される。
【００４１】
図７（Ｃ）に示すように、前記Ｂａ２よりも長さが僅かに短いバッテリＢａ３（例えば、１／２ＡＡ）をバッテリボックス１７に装着する場合には、接点保持部材４８が、図５のガイドレール５８をボックス本体４４の負極接点６３ａ寄りのガイド溝５５に、かつ脚部６２をガイド凹所６０にそれぞれ挿入して取り付けられる。すなわち、接点保持部材４８は、図７（Ｂ）のバッテリＢａ２を装着する場合と同様に取り付けられる。図７（Ｂ）の場合には、バッテリＢａ２のバッテリＢａ３よりも長い分が負極端子６３ａおよび正極接点６４ａの撓みにより吸収される。
【００４２】
図７（Ｄ）に示すように、２個の前記バッテリＢａ３を直列接続してバッテリボックス１７に装着することもできる。この場合には、２個のうちの一方のバッテリＢａ３を端子金具６３のばね体６３ｂと保持片６３ｃとの間で保持し、かつ、他方のバッテリＢａ３をバッテリ支持部５０に支持させた状態で、接点保持部材４８が、図５のガイドレール５８をボックス本体４４の負極接点６３ａから最も遠いガイド溝５３に、かつ脚部６２をガイド凹所５９にそれぞれ挿入して取り付けられる。この場合、他方のバッテリＢａ３は、径方向の両側がバッテリ支持部５０と接点保持部材４８の蓋板部６とで挟み込まれて保持される。
【００４３】
送信器１１の分解斜視図を示す図８において、送信器１１は、送信器本体６８と蓋体６９とからなり、送信器本体６８には、各種電子部品（図示せず）を搭載して図１の送信回路１３を構成するプリント基板７０が取り付けられており、このプリント基板７０には、メインユニット１からの人体検知信号が信号線７２を通じて入力される入力端子である接続端子部７１が設けられている。また、送信器本体６８のバッテリ取付部７３には、送信器用バッテリに代えて、樹脂からなる電気絶縁性のダミーバッテリ２８が装着されている。
【００４４】
前記ダミーバッテリ２８は、送信器１１のバッテリ取付部７３に取り付けられる送信器用バッテリ（実際のバッテリ）と同じ長さと同じ直径とを有し、図９に示すように、給電線１８，１８の先端に接続された接片１８ａ，１８ａを、バッテリ取付部７３の正極端子７８および負極端子７９にそれぞれ当てがった状態で、ダミーバッテリ２８をバッテリ取付部７３に押し込む。これにより、接片１８ａ，１８ａは、それぞれダミーバッテリ２８と正極端子７８および負極端子７９との間に挟まれた状態で、正極端子７８および負極端子７９に電気的に接続される。
【００４５】
図９の送信器本体６８に接続された各２本ずつの給電線１８および信号線７２は、蓋体６９の内部から導出孔７７を通じて外部に導出されている。送信器本体６８と蓋体６９とはそれぞれに設けた突条からなる係合部８５と被係合部８７の係合により結合されている。従来では、送信器のバッテリが消耗したとき、送信器本体６８と蓋体６９とを分離することにより送信器１１を分解する必要があり、送信器のバッテリの交換作業が容易ではなかったのに対し、この実施形態の侵入検知装置では、送信器用バッテリに代えてダミーバッテリ２８を一旦装着すれば、送信器１１を分解する必要がない。
【００４６】
なお、実施形態の給電線１８，１８の先端の接片１８ａ，１８ａをダミーバッテリ２８と正極端子７８および負極端子７９との間に挟み込む状態で正極端子７８および負極端子７９に電気的に接続する構成に代えて、給電線１８，１８の先端の接片１８ａ，１８ａをダミーバッテリ２８に接合して一体化した構成とすれば、送信器１１のバッテリ取付部７３にダミーバッテリ２８を取り付けることで、給電線１８，１８が送信器１１に接続状態で容易に取り付けられるので、給電線１８，１８の取扱いが容易となる。
【００４７】
一方、図２に示したバッテリボックス１７のバッテリＢａからメインユニット１への給電については、バッテリボックス１７の正極および負極端子６３ａ，６４ａを、電源線１５を介してメインユニット１の接続端末３の正負の電源入力端子２１，２２に接続する構成に代えて、バッテリボックス１７とメインユニット１とをソケット式接続手段により着脱自在に接続する構成とすれば、電源線１５を削減して簡素化することができる。
【００４８】
図１０に示すように、種々の長さおよび直径を有する複数のダミーバッテリ２８Ａ〜２８Ｃが接続片２８ｄで接続されてなるダミーバッテリ・セット８０を用意する。これにより、市販の汎用品の送信器１１のうちから任意に選択した送信器１１を使用する場合、使用する送信器１１が変わる毎に、その送信器１１に適合するダミーバッテリ２８Ａ〜２８Ｃを、ダミーバッテリ・セット８０から選択して、バッテリ取付部７３に取り付けることができる。
【００４９】
図１１に示す変形例のダミーバッテリ２８Ｅは、その長さ、すなわち正・負極間の長さＬ１が、送信器用バッテリよりも若干短く設定されている。すなわち、市販の通常の送信器用バッテリの長さは、送信器１１におけるバッテリ無装着状態の正極端子７８と負極端子７９間の距離Ｌ２よりも若干長く設定されて、両極端子７８，７９を押し込み変形させてバッテリ取付部７３に取り付けられるのに対し、ダミーバッテリ２８Ｅの長さＬ１は、給電線１８の接片１８ａの厚さに対応させて、前記両極端子７８，７９間の距離Ｌ２よりも若干、例えば０．５〜１ｍｍ程度短く設定されている（Ｌ１＜Ｌ２）。これにより、ダミーバッテリ２８Ｅの装着時に接片１８ａおよび正・負極端子７８，７９に大きな押圧力がかかるのを防止できる。なお、前記ダミーバッテリ２８Ｅに代えて、送信器１１用の通常のバッテリをそのまま使用して、給電線１８の接片１８ａを両極端子７８，７９に接続するようにしてもよい。この場合は、ダミーバッテリ２８Ｅが不要になるとともに、通常のバッテリ分だけ電源容量が増大する利点がある。その場合、バッテリ長さは上記ダミーバッテリ長さＬ１よりも若干増大するが、この増大分は、正極端子７８が外方へ変形することにより吸収される。
【００５０】
図１２（Ａ）に示す他の変形例のダミーバッテリ２８Ｆは、長さ方向に伸縮自在である。このダミーバッテリ２８Ｆは、一方の電池極である負極を持つ円筒状の第１ボディー１１０に、他方の電池極である正極を持つ円筒状の第２ボディー１１２を、長さ方向に相対移動自在に嵌合し、両ボディー１１０，１１２間にコイルスプリングのような弾性部材１１４を挿入して、ダミーバッテリ２８Ｆが伸張する方向に弾性力を付加している。したがって、フリー状態でのダミーバッテリ２８Ｆの長さＬ３は、図１１に示した送信器１１の正極端子７８と負極端子７９間の距離Ｌ２、またはこのＬ２から２つの接片１８ａ，１８ａの厚みを差し引いた長さよりも大きい。このダミーバッテリ２８Ｆを、図１２（Ｂ）に示すように収縮させてバッテリ取付部７３に押込み、弾性部材１１４の弾性復帰力により、両ボディー１１０，１１２の電池極を、図１１の接片１８ａおよび両極端子７８，７９に圧接する。これにより、ダミーバッテリ２８Ｆが安定してバッテリ取付部７３に取り付けられる。
【００５１】
図１１および図１２（Ａ），（Ｂ）に示した変形例においても、給電線１８，１８の先端の接片１８ａ，１８ａをダミーバッテリ２８Ｅまたは２８Ｆに接合して一体化した構成とすることができる。
【００５２】
つぎに、ユニットホルダ２９の背面へのバッテリボックス１７と送信器１１の取り付けについて説明する。図１３に示すように、ユニットホルダ２９は、ユニット本体１Ｕが内装されたホルダ本体８１と、このホルダ本体８１の背面の開口部を塞ぐバックカバー８２とを有しており、ユニットホルダ２９におけるバッテリボックス１７および送信器１１が取り付けられる背面は、バックカバー８２の外面となる。このバックカバー８２における上方側の両側部に、先端に係合爪８３を有する一対の爪片９３が形成されており、各係合爪８３は相対向する配置で形成されている。バックカバー８２の両側部における中央から下端近傍にかけての個所に、一対の立壁９４が形成されており、この各立壁９４の上端部に上側の係合孔８４が形成されている。
【００５３】
また、前記各立壁９４における係合孔８４の上方へ突出した一対の爪片９５の先端部には、前記係合爪８３と同一形状の係合爪８８が相対向する配置でそれぞれ形成されている。さらに、各立壁９４の下方側の両側部に、前記上側の係合孔８４と同一形状の下側の係合孔８９が形成されている。下側の係合爪８８および係合孔８９は、上側の係合爪８３および係合孔８４と同一の間隔で配設されている。これら係合爪８３，８８および係合孔８４，８９がユニットホルダ２９の係合部を形成している。
【００５４】
バックカバー８２の上側の各爪片９３の外側方位置には、爪片９３に対し僅かな間隙を存して保護リブ９６が形成されおり、この保護リブ９６は爪片９３の大きな変形による折れを防止するものである。バックカバー８２の外面の一側辺に沿った２個所には、一対ずつの矩形状の小立壁９７が上下に所定の間隙を存して形成されている。また、一側方の立壁９４には、上端根元近傍箇所および下端近傍個所にそれぞれ挿通用切欠き９８，９９が形成されている。
【００５５】
送信器１１を着脱テープ３３を介してバックカバー８２の外面に装着する際には、二点鎖線で示すように、送信器１１から導出されている一対の信号線７２，７２、下側の切欠き９９を通って立壁９４の外方へ引き出したのち、各一対ずつの小立壁９７，９７の間を順次通して保護リブ９６の外側方から接続端末３の信号出力端子３１，３２に導き、一対の給電線１８，１８を、上側の切欠き９８を通って立壁９４の外方へ引き出したのち、上方側の一対の小立壁９７，９７の間を通して保護リブ９６の外側方から接続端末３の電源出力端子２３，２４に導く。これにより、各一対の信号線７２および給電線１８が一対ずつの小立壁９７，９７の各間に固定されて、バッテリボックス１７および送信器１１を装着したユニットホルダ２９をベース３４に嵌め込む作業を容易に行える。
【００５６】
図１４（Ａ）に示すように、さほど長くない送信器１１を取り付ける場合、バックカバー８２の上方側の一対の係合孔８４，８４にバッテリボックス１７の一対の突部５１，５１を係合し、かつバックカバー８２の一対の係合爪８３，８３にバッテリボックス１７の一対の係止孔５２，５２を係合して、バッテリボックス１７をバックカバー８２の上部外面に接触する状態で取り付ける。一方、送信器１１は、バックカバー８２の下部外面における二点鎖線で囲った第１の取付位置９０に着脱テープ３３により取り付けて、バッテリボックス１７と並置される。図３の一対のＰＩＲセンサ３０，３０は、プリント配線基板３５に取り付けられており、このプリント配線基板３５上に配置された種々の信号処理回路とともに、図１の人体検知部２を構成している。プリント配線基板３５上に、図１の人体検知部２とマイクロコンピュータ９とが搭載されてユニット本体１Ｕが構成されており、このユニット本体１Ｕがユニットホルダ２９に収納されている。
【００５７】
一方、長い送信器１１を取り付ける場合、図１４（Ｂ）に示すように、バッテリボックス１７を、図１４（Ａ）の装着時におけるバックカバー８２との接触面が背面となるように反転させた配置として、バックカバー８２の下方側の一対の係合孔８９，８９にバッテリボックス１７の一対の突部５１，５１を係合し、かつバックカバー８２の一対の係合爪８８，８８にバッテリボックス１７の一対の係止孔５２，５２を係合して、バッテリボックス１７をバックカバー８２の下部外面から離間した状態で取り付ける。したがって、バッテリボックス１７とバックカバー８２の外面との間に取付空間を確保できるので、この取付空間内の二点鎖線で示す第２の取付位置９１に長い送信器１１を取り付けることができる。
【００５８】
図９に示したように、給電線１８を送信器１１のバッテリ取付部７３の正極および負極端子７８，７９に接続するに際して、前記実施形態では、給電線１８の先端に取り付けられた一対の接片１８ａを、ダミーバッテリ２８とバッテリ取付部７３の正極および負極端子７８，７９とで挟み込む第１構造を用いたが、以下に説明する第２構造を用いることもできる。
【００５９】
すなわち、第２構造は、図１５（Ａ），（Ｂ）の平面図および縦断面図に示すように、ダミーバッテリ２８Ｇに正極端子１０２および負極端子１０３が装着された端子付ダミー体１００を用意し、この端子付ダミー体１００に給電線１８の先端を接合して一体化した状態で、端子付ダミー体１００を送信器１１のバッテリ取付部７３に挿入して、給電線１８をバッテリ取付部７３の正極および負極端子７８，７９に接続するものである。この端子付ダミー体１００は、端子部材１０１をダミーバッテリ２８Ｇに装着した構成になっている。端子部材１０１は、図１５（Ｄ）に示すように、矩形状の端子板１０４と、この端子板１０４の中央部から一側方に突出された正極端子１０２および負極端子１０３と、端子板１０４の両側辺の上端部分から端子板１０４の直交方向に延びる一対の保持片１０５，１０５と、端子板１０４の下端中央部から端子板１０４の下方へ延びる支持片１０８と、端子板１０４の上端中央部から上方へ延びる接続突片１０９とが、アルミニウム板のような導電体により一体形成されている。接続突片１０９には、給電線１８の端末のリード線１８ｂを挿通して接続するための接続孔１０９ａが設けられている。
【００６０】
一方、図１５（Ｂ）に示すように、樹脂製のダミーバッテリ２８Ｇには、外周面に開口した縦断面三角形状の一対の保持孔１１０が両端近傍部に形成され、さらに、保持孔１１０から両端面中心部に貫通する一対の挿通孔１１１および保持孔１１０の内方側先端部に連通して端面と平行方向に延びる支持孔１１２が形成されている。
【００６１】
図１５（Ｃ）に示すように、端子部材１０１を傾斜させて保持孔１１０に入れ、支持片１０８を保持孔１１０に挿入するとともに、正極端子１０２および負極端子１０３を挿通孔１１１に挿入し、保持片１０５を保持孔１１０の傾斜面１１０ａに当接させる。これにより、端子部材１０１がダミーバッテリ２８Ｇに装着された端子付ダミー体１１０が得られる。
【００６２】
図１６は他の端子付ダミー体１１３を示す斜視図である。この端子付ダミー体１１３は、正極端子１１８または負極端子１１９と接続片１２０とが連設された端子部材１１４を、ダミーバッテリ２８Ｈにインサート成形により一体化したものであり、正極端子１１８または負極端子１１９と接続片１１９の各々の先端部が、ダミーバッテリ２８Ｈの外部に露出している。接続片１２０のダミーバッテリ２８Ｈから露出した端部には、給電線１８の先端のリード線１８ｂが半田付けで接続される。
【００６３】
本発明は、受動型赤外線検知方式のメインユニットを有するものに限らず、例えば、能動型赤外線検知方式のメインユニットを有するものにも適用することができる。さらに、本発明の要旨を逸脱しない範囲内で、種々の追加、変更または削除が可能であり、そのようなものも本発明の範囲内に含まれる。
【００６４】
以上のとおり、図面を参照しながら好適な実施形態を説明したが、当業者であれば、本件明細書を見て、自明な範囲内で種々の変更および修正を容易に想定するであろう。したがって、そのような変更および修正は、請求の範囲から定まる発明の範囲内のものと解釈される。
【符号の説明】
【００６５】
１  メインユニット
１Ｕ  ユニット本体
１１  送信器
１７  バッテリボックス
１８  給電線
２８，２８Ａ〜２８Ｃ，２８Ｅ〜２８Ｈ  ダミーバッテリ
２９  ユニットホルダ
３０  ＰＩＲセンサ（検知素子）
３４  ベース
４０  レンズ付きカバー
４４  ボックス本体
４８  接点保持部材
５１  突部（被係合部）
５２  係止孔（被係合部）
６１  固定部材
６２  脚部
６３ａ  負極接点
６３ｂ  ばね体
６３ｃ  保持片
６４  接点部材
６４ａ  正極接点
６６  胴部
７３  バッテリ取付部
７８  正極端子（電極端子）
７９  負極端子（電極端子）
８３，８８  係合爪（係合部）
８４，８９  係合孔（係合部）
９０  第１の取付位置
９１  第２の取付位置
１０２，１１８  正極端子（電極端子）
１０３，１１９  負極端子（電極端子）
Ｂａ，Ｂａ１〜Ｂａ３  バッテリ
【図１】
2010084558.tif 000003
【図２】
2010084558.tif 000004
【図３】
2010084558.tif 000005
【図４】
2010084558.tif 000006
【図５】
2010084558.tif 000007
【図６】
2010084558.tif 000008
【図７】
2010084558.tif 000009
【図８】
2010084558.tif 000010
【図９】
2010084558.tif 000011
【図１０】
2010084558.tif 000012
【図１１】
2010084558.tif 000013
【図１２】
2010084558.tif 000014
【図１３】
2010084558.tif 000015
【図１４】
2010084558.tif 000016
【図１５】
2010084558.tif 000017
【図１６】
2010084558.tif 000018
【国際調査報告】
2010084558.tif 000019
2010084558.tif 000020
2010084558.tif 000021
2010084558.tif 000022
2010084558.tif 000023
2010084558.tif 000024
2010084558.tif 000025